(57)【要約】    【課題】戸建住宅等の玄関戸の施解錠を行う電気錠として、通電時解錠型電気錠および非通電時解錠型電気錠をそれぞれ制御するために必要とされる端子を共通の２端子にて構成し、これら電気錠の施解錠を行う際の省電力化を図るとともに、誤動作の発生を防止する。    【解決手段】設定回路６ａ、６ｂの設定により駆動回路５ａ、５ｂからラッチングリレー４ａ、４ｂへとメーク信号を印加させてスイッチ４０ａ、４０ｂの（１つの）固定接点Ｐ2a、Ｐ2bをメーク状態に制御し、電源３ａ、３ｂにより駆動部２ａ、２ｂを通電させて通電時解錠型電気錠１ａを解錠する、および非通電時解錠型電気錠１ｂを施錠する。一方、設定回路の設定により駆動回路からラッチングリレーへとブレーク信号を印加させてスイッチの（１つの）固定接点をブレーク状態に制御し、電源の遮断により駆動部を非通電として通電時解錠型電気錠を施錠する、および非通電時解錠型電気錠を解錠する。また、駆動回路からラッチングリレーへのメーク信号、ブレーク信号の印加を設定回路の設定によって間欠的に行う。  【選択図】図１
2006097404.tif 000002
【特許請求の範囲】
【請求項１】
１つの可動接点（Ｐ1a）と１つの固定接点（Ｐ2a）とからなるスイッチ（４０ａ）がメークしたとき電源（３ａ）により駆動部（２ａ）が通電して解錠される通電時解錠型電気錠（１ａ）および１つの可動接点（Ｐ1b）と１つの固定接点（Ｐ2b）とからなるスイッチ（４０ｂ）がブレークしたとき電源（３ｂ）が遮断され駆動部（２ｂ）が非通電となり解錠される非通電時解錠型電気錠（１ｂ）を制御する電気錠制御装置であって、
前記通電時解錠型電気錠の場合には、前記スイッチを解錠時にメーク状態、施錠時にブレーク状態にそれぞれ駆動し、前記非通電時解錠型電気錠の場合には、前記スイッチを解錠時にブレーク状態、施錠時にメーク状態にそれぞれ駆動するラッチングリレー（４ａ、４ｂ）と、前記リレーにメーク信号、ブレーク信号を印加する駆動回路（５ａ、５ｂ）と、前記駆動回路から前記リレーへの前記メーク信号、前記ブレーク信号の印加を設定するための設定回路（６ａ、６ｂ）とを設けたことを特徴とする電気錠制御装置。
【請求項２】
前記駆動回路は前記メーク信号、前記ブレーク信号を前記ラッチングリレーに間欠的に印加して誤動作を防止することを特徴とする請求項１記載の電気錠制御装置。
【発明の詳細な説明】
【技術分野】
【０００１】
本発明は、戸建住宅等の玄関戸の施解錠を行う電気錠の制御装置に係り、特に、電気錠の施解錠を行う際の省電力化を図るとともに、誤動作の発生を防止させた電気錠制御装置に関する。
【背景技術】
【０００２】
従来から、戸建住宅等の玄関戸の施解錠を行う電気錠を制御する装置として、通電によって解錠される通電時解錠型電気錠および通電によって施錠される通電時施錠型電気錠をそれぞれ制御するシステムが開示されている（例えば、非特許文献１を参照。）。
【０００３】
従来例のシステムにおいて、通電時解錠型電気錠をコントロール基板に接続させて制御するためには、コントローラ基板上に実装されるリレーのメーク接点を使用する。一方、通電時施錠型電気錠をコントロール基板に接続させて制御するためには、コントローラ基板上に実装されるリレーのブレーク接点を使用していた（例えば、非特許文献１を参照。）。
【０００４】
【非特許文献１】ＫＴ Ｗｏｒｋｓｈｏｐ Ｉｎｃ（株式会社ケーティーワークショップ）  ＮＥＴ２  設置マニュアルＶ２．００  ２００２年４月改訂版（第４頁、第１２頁）
【発明の開示】
【発明が解決しようとする課題】
【０００５】
従来例のシステムにおいて、通電時解錠型電気錠および通電時施錠型電気錠をそれぞれコントロール基板に接続させて制御するにあたっては、コモン端子、クローズ端子、オープン端子の３つの端子が必要であり、これら３端子を２端子にて形成する場合において、コントローラ基板上に実装されるリレーのブレーク接点は、メーク接点を常時駆動せねばならず多くの電源が必要であった。
【０００６】
本発明は、前述の難点を解消するためになされたもので、戸建住宅等の玄関戸の施解錠を行う電気錠として、通電時解錠型電気錠および非通電時解錠型電気錠をそれぞれ制御するために必要とされる端子を共通の２端子にて構成し、これら電気錠の施解錠を行う際の省電力化を図るとともに、誤動作の発生を防止させた電気錠制御装置を提供することを目的としている。
【課題を解決するための手段】
【０００７】
前述の目的を達成するため、本発明の電気錠制御装置は、１つの可動接点と１つの固定接点とからなるスイッチがメークしたとき電源により駆動部が通電して解錠される通電時解錠型電気錠および１つの可動接点と１つの固定接点とからなるスイッチがメークしたとき電源が遮断され駆動部が非通電となり解錠される非通電時解錠型電気錠を制御するための当該装置であり、通電時解錠型電気錠の場合には、スイッチを解錠時にメーク状態、施錠時にブレーク状態にそれぞれ駆動し、非通電時解錠型電気錠の場合には、スイッチを解錠時にブレーク状態、施錠時にメーク状態にそれぞれ駆動するためのラッチングリレーと、リレーにメーク信号、ブレーク信号を印加するための駆動回路と、駆動回路からリレーへのメーク信号、ブレーク信号の印加を設定するための設定回路とを設けたものである。
【０００８】
また、本発明の電気錠制御装置において、駆動回路はメーク信号、ブレーク信号をラッチングリレーに間欠的に印加して誤動作を防止するものである。
【発明の効果】
【０００９】
本発明の電気錠制御装置によれば、設定回路の設定により駆動回路からラッチングリレーへとメーク信号を印加させてスイッチの（１つの）固定接点をメーク状態に制御し、電源により駆動部を通電させて通電時解錠型電気錠を解錠する、および非通電時解錠型電気錠を施錠することができる。一方、設定回路の設定により駆動回路からラッチングリレーへとブレーク信号を印加させてスイッチの（１つの）固定接点をブレーク状態に制御し、電源の遮断により駆動部を非通電として通電時解錠型電気錠を施錠する、および非通電時解錠型電気錠を解錠することができる。
【００１０】
また、本発明の電気錠制御装置によれば、駆動回路からラッチングリレーへのメーク信号、ブレーク信号の印加を設定回路の設定によって間欠的に行うことにより、ラッチングリレー、駆動回路、設定回路のうち少なくとも１の回路にて衝撃がノイズ等が発生した場合でも予め施錠されている通電時解錠型電気錠および非通電時解錠型電気錠が解錠するような誤動作の発生を防止することできるばかりでなく、このラッチングリレーの適用により省電力化を図ることができる。
【発明を実施するための最良の形態】
【００１１】
以下、本発明の電気錠制御装置を適用した最良の実施の形態例について、図面を参照して説明する。
【００１２】
図１は、本発明の実施例による電気錠制御装置の構成を示す回路ブロック図である。
【００１３】
なお、図１（ａ）は、戸建住宅等の玄関戸の施解錠を行うための電気錠として後述する通電によって解錠される通電時解錠型電気錠１ａを適用した場合の構成を示す回路ブロック図であり、以下、通電時解錠型電気錠１ａの施解錠を制御するための電気錠制御装置を本発明の第１の実施例という。
【００１４】
また、図１（ｂ）は、戸建住宅等の玄関戸の施解錠を行うための電気錠として後述する通電の遮断によって解錠される非通電時解錠型電気錠１ｂを適用した場合の構成を示す回路ブロック図であり、以下、非通電時解錠型電気錠１ｂの施解錠を制御するための電気錠制御装置を本発明の第２の実施例という。
【００１５】
次に、本発明の第１の実施例である図１（ａ）の回路ブロック図に示す電気錠制御装置は、戸建住宅等の玄関戸の施解錠を行うための電気錠として後述する通電によって解錠される通電時解錠型電気錠１ａと、通電時解錠型電気錠１ａを駆動させて施解錠を行うための駆動部２ａと、駆動部２ａを通電させるための電源３ａと、１つの可動接点Ｐ1aおよび１つの固定接点Ｐ2aとからなるスイッチ４０ａ、スイッチ４０ａの固定接点Ｐ2aをメークさせるための第１のコイル４１ａ、スイッチ４０ａの固定接点Ｐ2aをブレークさせるための第２のコイル４２ａから構成されるラッチングリレー４ａと、通電時解錠型電気錠１ａを解錠させるにあたり、ラッチングリレー４ａを構成する第１のコイル４１ａおよび第２のコイル４２ａのうち第１のコイル４１ａにのみメーク信号を印加させ、スイッチ４０ａの固定接点Ｐ2aをメーク状態に制御する、一方、通電時解錠型電気錠１ａを施錠するにあたっては、ラッチングリレー４ａを構成する第１のコイル４１ａおよび第２のコイル４２ａのうち第２のコイル４２ａにのみブレーク信号を印加させ、スイッチ４０ａの固定接点Ｐ2aをブレーク状態に制御するための駆動回路５ａと、駆動回路５ａからラッチングリレー４ａを構成する第１のコイル４１ａへのメーク信号、第２のコイル４２ａへのブレーク信号の印加（のタイミング）を設定するための設定回路６ａと、駆動部２ａの一端およびラッチングリレー４ａを構成するスイッチ４０ａの可動接点Ｐ1aの間を接続するための第１の端子Ｔ1と、電源３ａの（−）端子およびラッチングリレー４ａを構成するスイッチ４０ａの固定接点Ｐ2aの間を接続するための第２の端子Ｔ2とを有している。
【００１６】
このように構成された本発明の第１の実施例による電気錠制御装置において、以下、具体的な動作について説明する。
【００１７】
図１（ａ）の回路ブロック図において、駆動回路５ａは設定回路６ａによって動作制御、すなわち、駆動回路５ａからラッチングリレー４ａを構成する第１のコイル４１ａへのメーク信号、第２のコイル４２ａへのブレーク信号の印加のタイミングが設定されている。ここで、戸建住宅等の玄関戸が閉成され通電時解錠型電気錠１ａを施錠するにあたっては、駆動回路５ａからラッチングリレー４ａを構成する第２のコイル４２ａへとブレーク信号を印加する。このブレーク信号が印加された第２のコイル４２ａは、固定接点Ｐ2aがブレーク状態となるようにスイッチ４０ａを制御することにより、電源３ａの（＋）端子から駆動部２ａの両端間、第１の端子Ｔ1、（ラッチングリレー４ａを構成する）スイッチ４０ａの可動接点Ｐ1a、（ブレーク状態の）固定接点Ｐ2a、第２の端子Ｔ2を介して当該電源の（−）端子までの電源供給ラインは形成されず、駆動部２ａの通電が遮断されることから、通電時解錠型電気錠１ａは施錠する。
【００１８】
一方、戸建住宅等の閉成されている玄関戸を開成させ、施錠されている通電時解錠型電気錠１ａを解錠するにあたっては、駆動回路５ａからラッチングリレー４ａを構成する第１のコイル４１ａへとメーク信号を印加する。このメーク信号が印加された第１のコイル４１ａは、固定接点Ｐ2aがメーク状態となるようにスイッチ４０ａを制御することにより、電源３ａの（＋）端子から駆動部２ａの両端間、第１の端子Ｔ1、（ラッチングリレー４ａを構成する）スイッチ４０ａの可動接点Ｐ1a、（メーク状態の）固定接点Ｐ2a、第２の端子Ｔ2を介して当該電源の（−）端子までの電源供給ラインが形成され、駆動部２ａが通電して通電時解錠型電気錠１ａを解錠させることができる。
【００１９】
前述のように、ラッチングリレー４ａを構成するスイッチ４０ａは、第１のコイル４１ａまたは第２のコイル４２ａによりメーク状態またはブレーク状態に制御することができる。ここで、停電等により電源３ａから駆動部２ａへの通電が遮断され、この後、通電が復旧した場合において、スイッチ４０ａは、第１のコイル４１ａまたは第２のコイル４２ａによりメーク状態またはブレーク状態が保持されることから、通電時解錠型電気錠１ａの解錠状態または施錠状態を保持させることができる。
【００２０】
また、駆動回路５ａから（ラッチングリレー４ａを構成する）第１のコイル４１ａへのメーク信号、または第２のコイル４２ａへのブレーク信号を、設定回路６ａの設定によって図２（ａ）の説明図に示すように間欠して印加、例えば、２秒間の間隔で印加することにより、ラッチングリレー４ａ、駆動回路５ａ、設定回路６ａのうち少なくとも１の回路にて衝撃がノイズ等が発生した場合でも予め施錠されている通電時解錠型電気錠１ａが解錠するような誤動作の発生を防止することできるばかりでなく、このラッチングリレー４ａの適用により省電力化を図ることができる。
【００２１】
次に、本発明の第２の実施例による電気錠制御装置の構成および動作を説明するにあたり、後述するラッチングリレー４ｂは第１の実施例に適用されたラッチングリレー４ａと同一の当該リレーであり、説明の都合上、別途の符号が付されているものとする。
【００２２】
本発明の第２の実施例である図１（ｂ）の回路ブロック図に示す電気錠制御装置は、戸建住宅等の玄関戸の施解錠を行うための電気錠として後述する通電の遮断によって解錠される非通電時解錠型電気錠１ｂと、非通電時解錠型電気錠１ｂを駆動させて施解錠を行うための駆動部２ｂと、駆動部２ｂを通電させるための電源３ｂと、１つの可動接点Ｐ1bおよび１つの固定接点Ｐ2bとからなるスイッチ４０ｂ、スイッチ４０ｂの固定接点Ｐ2bをメークさせるための第１のコイル４１ｂ、スイッチ４０ｂの固定接点Ｐ2bをブレークさせるための第２のコイル４２ｂから構成されるラッチングリレー４ｂと、非通電時解錠型電気錠１ｂを解錠させるにあたり、ラッチングリレー４ｂを構成する第１のコイル４１ｂおよび第２のコイル４２ｂのうち第２のコイル４２ｂにのみブレーク信号を印加させ、スイッチ４０ｂの固定接点Ｐ2bをブレーク状態に制御する、一方、非通電時解錠型電気錠１ｂを施錠するにあたっては、ラッチングリレー４ｂを構成する第１のコイル４１ｂおよび第２のコイル４２ｂのうち第１のコイル４１ｂにのみメーク信号を印加させ、スイッチ４０ｂの固定接点Ｐ2bをメーク状態に制御するための駆動回路５ｂと、駆動回路５ｂからラッチングリレー４ｂを構成する第１のコイル４１ｂへのメーク信号、第２のコイル４２ｂへのブレーク信号の印加（のタイミング）を設定するための設定回路６ｂと、駆動部２ｂの一端およびラッチングリレー４ｂを構成するスイッチ４０ｂの可動接点Ｐ1bの間を接続するための前述の第１の実施例と共通の第１の端子Ｔ1と、電源３ｂの（−）端子およびラッチングリレー４ｂを構成するスイッチ４０ｂの固定接点Ｐ2bの間を接続するための前述の第１の実施例と共通の第２の端子Ｔ2とを有している。
【００２３】
このように構成された本発明の第２の実施例による電気錠制御装置において、以下、具体的な動作について説明する。
【００２４】
図１（ｂ）の回路ブロック図において、駆動回路５ｂは設定回路６ｂによって動作制御、すなわち、駆動回路５ｂからラッチングリレー４ｂを構成する第１のコイル４１ｂへのメーク信号、第２のコイル４２ｂへのブレーク信号の印加のタイミングが設定されている。ここで、戸建住宅等の玄関戸が閉成され非通電時解錠型電気錠１ｂを施錠するにあたっては、駆動回路５ｂからラッチングリレー４ｂを構成する第１のコイル４１ｂへとメーク信号を印加する。このメーク信号が印加された第１のコイル４１ｂは、固定接点Ｐ2bがメーク状態となるようにスイッチ４０ｂを制御することにより、電源３ｂの（＋）端子から駆動部２ｂの両端間、第１の端子Ｔ1、（ラッチングリレー４ｂを構成する）スイッチ４０ｂの可動接点Ｐ1b、（メーク状態の）固定接点Ｐ2b、第２の端子Ｔ2を介して当該電源の（−）端子までの電源供給ラインが形成され、駆動部２ｂが通電して非通電時解錠型電気錠１ｂを施錠させることができる。
【００２５】
一方、戸建住宅等の閉成されている玄関戸を開成させ、施錠されている非通電時解錠型電気錠１ｂを解錠するにあたっては、駆動回路５ｂからラッチングリレー４ｂを構成する第２のコイル４２ｂへとブレーク信号を印加する。このブレーク信号が印加された第２のコイル４２ｂは、固定接点Ｐ2bがブレーク状態となるようにスイッチ４０ｂを制御することにより、電源３ｂの（＋）端子から駆動部２ｂの両端間、第１の端子Ｔ1、（ラッチングリレー４０ｂを構成する）スイッチ４０ｂの可動接点Ｐ1b、（ブレーク状態の）固定接点Ｐ2b、第２の端子Ｔ2を介して当該電源の（−）端子までの電源供給ラインは形成されず、駆動部２ｂの通電が遮断されることから、非通電時解錠型電気錠１ｂは解錠する。
【００２６】
前述のように、ラッチングリレー４ｂを構成するスイッチ４０ｂは、第１のコイル４１ｂまたは第２のコイル４２ｂによりメーク状態またはブレーク状態に制御することができる。ここで、停電等により電源３ｂから駆動部２ｂへの通電が遮断され、この後、通電が復旧した場合において、スイッチ４０ｂは、第１のコイル４１ｂまたは第２のコイル４２ｂによりメーク状態またはブレーク状態が保持されることから、非通電時解錠型電気錠１ｂの施錠状態または解錠状態を保持させることができる。
【００２７】
また、駆動回路５ｂから（ラッチングリレー４ｂを構成する）第１のコイル４１ｂへのメーク信号、または第２のコイル４２ｂへのブレーク信号を、設定回路６ｂの設定によって図２（ｂ）の説明図に示すように間欠して印加、例えば、２秒間の間隔で印加することにより、ラッチングリレー４ｂ、駆動回路５ｂ、設定回路６ｂのうち少なくとも１の回路にて衝撃がノイズ等が発生した場合でも予め施錠されている非通電時解錠型電気錠１ｂが解錠するような誤動作の発生を防止することできるばかりでなく、このラッチングリレー４ｂの適用により省電力化を図ることができる。
【００２８】
また、本発明の第１、第２の各実施例による電気錠制御装置においては、駆動回路５ａ、５ｂからラッチングリレー４ａ、４ｂを構成する第１のコイル４１ａ、４１ｂへのメーク信号、第２のコイル４２ａ、４２ｂへのブレーク信号の印加のタイミングを設定する回路として、設定回路６ａ、６ｂをそれぞれ適用したが、この設定機能を駆動回路５ａ、５ｂにそれぞれ備えることもでき、回路の簡素化が図られる。
【図面の簡単な説明】
【００２９】
【図１】図１（ａ）は、本発明の第１の実施例による電気錠制御装置の構成を示す回路ブロック図である。図１（ｂ）は、本発明の第２の実施例による電気錠制御装置の構成を示す回路ブロック図である。
【図２】図２（ａ）は、本発明の第１の実施例による電気錠制御装置において、駆動回路からラッチングリレーへの制御の一例を示す説明図である。図２（ａ）は、本発明の第２の実施例による電気錠制御装置において、駆動回路からラッチングリレーへの制御の一例を示す説明図である。
【符号の説明】
【００３０】
１ａ……通電時解錠型電気錠
１ｂ……非通電時解錠型電気錠
２ａ、２ｂ……駆動部
３ａ、３ｂ……電源
４ａ、４ｂ……ラッチングリレー
５ａ、５ｂ……駆動回路
４０ａ、４０ｂ……スイッチ
Ｐ1a、Ｐ1b……（１つの）可動接点
Ｐ2a、Ｐ2b……（１つの）固定接点
【図１】
2006097404.tif 000003
【図２】
2006097404.tif 000004